(57)【要約】【課題】  従来のツーウェイドレスやカバーオールに代わり、夏の暑い時期も含め、四季を通じて使用可能な乳児用組み衣服を提供する【解決手段】  乳児用組み衣服(A)は、内衣(1)と外衣(2)で構成されている。内衣(1)は下肢が露出するよう足側が短い構造を有し、前身頃(12,13)の合わせ部分(14)が、外衣(2)の前身頃(21,22)の合わせ部分(23)と重ならない位置に設けてある。外衣(2)は袖が設けられておらず、足側を筒状または分離筒状に形成できるよう構成されている。【選択図】        図１
2005226191.tif 000002
【特許請求の範囲】
【請求項１】
内衣(1)と、内衣(1)に重ね着することができる外衣(2)で構成されており、
内衣(1)は、下肢が露出するよう足側が短い構造を有し、
外衣(2)は、袖が設けられておらず、足側を筒状または分離筒状に形成できるよう構成されており、
内衣(1)の前身頃(12,13)の合わせ部分(14)は、外衣(2)の前身頃(21,22)の合わせ部分(23)と重ならない位置に設けてあることを特徴とする、
乳児用組み衣服。
【請求項２】
外衣(2)の前身頃(21,22)の合わせ部分(23)が一方の前肩部から腹部の側部を通り股部にかけて設けられていることを特徴とする、
第１の発明に係る乳児用組み衣服。
【請求項３】
外衣(1)の裾にフリル(201)が形成可能な延長部が設けられていることを特徴とする、
請求項１または２記載の乳児用組み衣服。
【請求項４】
請求項１、２または３記載の乳児用組み衣服に使用する外衣であって、
袖が設けられておらず、足側を筒状または分離筒状に形成できるよう構成されていることを特徴とする、
乳児用組み衣服に使用する外衣。
【請求項５】
裾にフリル(201)が形成可能な延長部が設けられていることを特徴とする、
請求項４記載の乳児用組み衣服に使用する外衣。
【発明の詳細な説明】
【技術分野】
【０００１】
本発明は、乳児用組み衣服及びそれに使用する外衣に関するものである。更に詳しくは、衣服の選択または組み合わせによって、暑い時期から寒い時期まで四季を通じて使用することができる乳児用組み衣服に関する。また、乳児の成長度合いに合わせて、例えばロンパースのように、他の衣服と組み合わせてコーディネートしながら長く使用できる、組み衣服に使用する外衣に関する。
【背景技術】
【０００２】
乳児用の衣服は、使用する季節あるいは乳児の成長の度合いに合わせた様々なタイプが提供されている。
生後１ヶ月頃までの新生児用としては、足側が筒状になった「ドレス」がある。また、生後２〜６ヶ月まで使用されるものとしては、足側がズボンのように分かれた「カバーオール」がある。更に、生後１〜６ヶ月まで使用可能であり、足側を筒状またはズボン状に変形できる、ドレスとカバーオールの兼用型として「ツーウェイドレス」（特許文献１参照）がある。
【０００３】
上記衣服のうち、比較的長期間使用できるカバーオールまたはツーウェイドレスは、冬の寒い時期には、更にベストなどを重ね着することによって、寒くないようにして使用できる。
なお、カバーオールまたはツーウェイドレスは、乳児の体全体を覆う構造であるため、夏の暑い時期には使用されておらず、代わりに袖が短く足がむき出しになる「ラップアップ」や「ボディオール」などが使用されている。
【０００４】
また、ツーウェイドレスやカバーオールが使用される期間は概ね生後６ヶ月程度までであり、それ以降は「ロンパース」などのベビー用衣服が使用される。このロンパースは、袖がないため、ブラウスやＴシャツなどとの重ね着もでき、それらとコーディネートして使用することができる。
【０００５】
【特許文献１】特開２００３−２７３１０
【発明の開示】
【発明が解決しようとする課題】
【０００６】
乳児用衣服であるツーウェイドレスやカバーオールは、上記したように四季を通じて使用することはできず、しかも、生後６ヶ月程度までしか使用できないものである。
つまり、例えば１２月に生まれた乳児用としては、１２月〜翌５月まで無駄なく使用できるが、７月に生まれた乳児用としては、７月〜９月は暑くて使用できないので、実質１０月〜１２月の３ヶ月だけの使用となる。これでは、せっかく購入しても、生まれた時期によっては長く使用することができない場合も多く、合理的でない。
【０００７】
（本発明の目的）
本発明は、従来のツーウェイドレスやカバーオールに代わり、夏の暑い時期も含め、四季を通じて使用可能な乳児用組み衣服を提供することを目的とする。
また、本発明は、乳児の成長後（例えば生後５、６ヶ月の頃まで、場合によっては生後７ヶ月目以降）にも、例えばロンパースのように、他の衣服と組み合わせてコーディネートしながら長く使用できる、組み衣服に使用する外衣を提供することを目的とする。
【課題を解決するための手段】
【０００８】
上記課題を解決するために本発明が講じた手段は次のとおりである。
第１の発明にあっては、
内衣と、内衣に重ね着することができる外衣で構成されており、
内衣は、下肢が露出するよう足側が短い構造を有し、
外衣は、袖が設けられておらず、足側を筒状または分離筒状に形成できるよう構成されており、
内衣の前身頃の合わせ部分は、外衣の前身頃の合わせ部分と重ならない位置に設けてあることを特徴とする、
乳児用組み衣服である。
【０００９】
第２の発明にあっては、
外衣の前身頃の合わせ部分が一方の前肩部から腹部の側部を通り股部にかけて設けられていることを特徴とする、
第１の発明に係る乳児用組み衣服である。
【００１０】
第３の発明にあっては、
外衣の裾にフリルが形成可能な延長部が設けられていることを特徴とする、
第１または第２の発明に係る乳児用組み衣服である。
【００１１】
第４の発明にあっては、
第１、第２または第３の発明に係る乳児用組み衣服に使用する外衣であって、
袖が設けられておらず、足側を筒状または分離筒状に形成できるよう構成されていることを特徴とする、
乳児用組み衣服に使用する外衣である。
【００１２】
第５の発明にあっては、
裾にフリルが形成可能な延長部が設けられていることを特徴とする、
第４の発明に係る乳児用組み衣服に使用する外衣である。
【００１３】
（作用）
本発明に係る乳児用組み衣服及びそれに使用する外衣の作用を説明する。なお、ここでは説明を分かりやすくするために、本発明の各構成要件のそれぞれに、後述する実施の形態において各部に付与した符号を対応させて付与し説明するが、この符号の付与は、あくまで参考のためであって各構成要件の上記各部への限定を意味するものではない。
【００１４】
本発明に係る乳児用組み衣服の使用方法及び作用は次のとおりである。
（１）生後１ヶ月頃までの新生児の時期
外衣(2)の足側の裾部分を筒状に形成し、「ドレス」と同様に使用する。
この時期が夏である場合は、外衣(2)に袖がなく涼しいので、そのままで使用できる。また、この時期が春秋または冬である場合は、必要に応じて外衣(2)の内側に内衣(1)を重ね着する。
【００１５】
（２）生後２ヶ月〜５、６ヶ月頃までの時期
外衣(2)の足側の裾部分を筒状に形成し、「ドレス」と同様に使用するか、または裾部分を分離筒状に形成し、両脚をそれぞれ通して「カバーオール」と同様に使用する。
この時期において夏が含まれる場合は、外衣(2)に袖がなく涼しいので、外衣(2)をそのままで使用する。また、外衣(2)に代えて、下肢が露出する内衣(1)だけを「ラップアップ」や「ボディオール」と同様に使用することもできる。この時期に春秋または冬が含まれる場合は、必要に応じて外衣(2)の内側に内衣(1)を重ね着する。
【００１６】
（３）生後５、６ヶ月以降の時期
外衣(1)には袖が設けられていないので、裾部分を分離筒状に形成し、両脚をそれぞれ通して「ロンパース」と同様に使用する。この時期には内衣(1)は使用してもよいし、使用しなくてもよい。
また、裾部分を一般的な「カバーオール」や「ツーウェイドレス」よりやや長く形成して足の成長に対応できるようにすれば、使用期間をより長くして、更に経済的に使用することができる。
この時期において夏が含まれる場合は、外衣(2)に袖がなく涼しいので、外衣(2)をそのままで使用する。また、この時期において春秋や冬が含まれる場合は、「ロンパース」と同様にカーディガンやＴシャツ、ベストなど他の衣服と組み合わせてコーディネートしながら使用する。
【００１７】
外衣(2)の裾にフリルが形成可能な延長部が設けられているものは、フリルを形成することによって、デザイン的な可愛らしさを演出できる。また、例えば絞り部のゴムを切る等してフリルをなくして裾をストレートにすれば、乳児の脚部の長さに合わせて裾の長さを長くすることができる。
【００１８】
なお、内衣(1)の前身頃(12,13)の合わせ部分(14)が、外衣(2)の前身頃(21,22)の合わせ部分(23)と重ならない位置に設けられているので、内衣(1)を外衣(2)の内側に重ね着したときにも、生地やボタン同士が厚く重なって胸が圧迫されるようなことがなく、乳児の呼吸を苦しくさせてしまうことはない。
【発明の効果】
【００１９】
（ａ）本発明に係る乳児用組み衣服は、組み衣服を構成する外衣と内衣のいずれかを選択するか、またはそれらを組み合わせることにより、夏の暑い時期も含め、四季を通じて使用することができる。
従って、赤ちゃんの生まれた時期が一年のうちのどの季節であっても、新生児の時期から一定期間無駄なく使用できる。
【００２０】
（ｂ）内衣の前身頃の合わせ部分が、外衣の前身頃の合わせ部分と重ならない位置に設けられているので、内衣を外衣の内側に重ね着したときにも、生地やボタン同士が厚く重なって胸が圧迫されるようなことがなく、乳児の呼吸を苦しくさせてしまうことはない。
【００２１】
（ｃ）本発明に係る乳児用組み衣服に使用される外衣は、袖が設けられていないので、乳児の成長後にも、例えばロンパースのように、他の衣服と組み合わせてコーディネートしながら長く使用できる。
従って、外衣がロンパースと同様に使用可能であるので、新たにロンパースなどを買い揃える必要がなく、経済的であり無駄がない。
【００２２】
（ｄ）外衣の裾にフリルが形成可能な延長部が設けられているものは、フリルを形成することによって、デザイン的な可愛らしさを演出できる。また、例えば絞り部のゴムを切る等してフリルをなくして裾をストレートにすれば、乳児の脚部の長さに合わせて裾の長さを長くすることができる。これにより、乳児が成長して特に脚部が伸びたときにも十分に対応でき、外衣をロンパースのように使用するときに、着用可能な期間を長くする上で有用である。
【発明を実施するための最良の形態】
【００２３】
本発明を図に示した実施例に基づき詳細に説明する。
【実施例】
【００２４】
図１は本発明に係る乳児用組み衣服の一実施の形態を示す斜視図、
図２は乳児用組み衣服を構成する外衣をカバーオール様とした状態の斜視説明図、
図３は乳児用組み衣服を構成する外衣をドレス様とした状態の斜視説明図、
図４は乳児用組み衣服を構成する内衣の斜視説明図、
図５は図１におけるＡ−Ａ拡大断面説明図である。
【００２５】
本発明に係る乳児用組み衣服Ａは、内衣１と外衣２により構成されている。
主に図４を参照し、内衣１の構造を説明する。
内衣１は、いわゆるラップアップ様の形態を有している。すなわち、内衣１の上部には、長袖の袖部１９が両側に設けられている。符号１８は首口部である。
内衣１の下部には、後身頃１０から股部カバー１１が連設されている。前身頃１２、１３の合わせ部であるボタンライン１４は、中央部に縦に直線状に設けられている。ボタンライン１４は、後述する外衣２のボタンライン２３と重ならない位置に設けられている。
【００２６】
前身頃１２、１３の下部には段階的に複数のボタン（またはホック）の一方１５がそれぞれ設けられている。股部カバー１１の先部両側には、これらボタンの一方１５と留められるボタンの他方１６が設けられている。股部カバー１１は、先部を前身頃１２、１３側へ回して適当なボタンの一方１５と他方１６を留めることにより、下肢（両脚）を通す脚口１７を両側に設けることができる。また、ボタンの他方１６を留めるボタンの一方１５の位置を変えることにより、乳児の成長度合に対応させて内衣１の着丈（長さ）を調整することができる。
【００２７】
主に図２、図３を参照し、外衣２の構造を説明する。
外衣２は、いわゆるツーウェイドレス様の形態を有している。すなわち、裾側（足側）をボタンの留め方を変えることによって、一本の筒状に形成したり、二本の分離した筒状に形成できるよう構成されている。なお、外衣２の着丈は、本実施の形態では約５４５ｍｍであるが、この寸法に限定はされない。
【００２８】
外衣２は、背部から脚部へ続く後身頃２０と、同じく胸腹部から足部へ続き、正面側が大きく開いた右前身頃２１及び右前身頃２１の開口部を覆うように正面側を大きく形成した左前身頃２２を有している。右前身頃２１から左前身頃２２、更に後身頃２０にかかる裾端部にはゴムが入れられて絞り部２００が設けられている。
【００２９】
右前身頃２１と左前身頃２２の正面側の合わせ部であるボタンライン２３は、図３に示すように右側の前肩部から腹部の側部を通り股部（裾側を二本の分離した筒状としたときの股部）にかけて湾曲するように設けてあり、更に下部側は中央部に縦に直線状に設けられている。後身頃２０の合わせ部であるボタンライン２４は、図２に示す足の長さの分だけ設けられている。各ボタンライン２３、２４には、適宜箇所にボタンの一方２５と他方２６が設けられている。なお、ボタンライン２３は、上記と逆に左側の前肩部から腹部の側部を通り股部にかけて湾曲するように設けてもよい。
【００３０】
図２に示すように、右前身頃２１側のボタンの一方２５と後身頃２０側のボタンの他方２６を留め、更に左前身頃２２側のボタンの他方２６と後身頃２０側のボタンの一方２５を留めることにより、裾側は脚部を通すことができる二本の分離した筒状となり、カバーオール様の形態となる。
【００３１】
また、図３に示すように、右前身頃２１側のボタンの一方２５と左前身頃２２側のボタンの他方２６を留め、後身頃２０側のボタンの他方２６と同じく後身頃２０側のボタンの一方２５を係合させることにより、裾側は両脚部を通すことができる一本の筒状となり、ドレス様の形態となる。
【００３２】
なお、外衣２の上部には袖は設けられておらず、肩掛け部２７のみが両側に設けられている。図において、符号２８は肩口部、２９は首口部である。
また、裾部の外縁部の形状は、図３に示すように、上部側がやや膨らみ、下部側がやや窄まるように（絞るように）設けられている。これにより、外衣２を図２に示すようなロンパース様の形態としたときに、デザイン的に見映えがする。
【００３３】
（作用）
本実施の形態に係る乳児用組み衣服Ａの使用方法及び作用を図１ないし図５を参照して説明する。
【００３４】
（１）生後１ヶ月頃までの新生児の時期
この時期においては、外衣２の足側の裾部分を図３に示すように一本の筒状に形成し、「ドレス」と同様に使用する。この時期が夏である場合は、外衣２に袖がなく涼しいので、そのままで使用できる。また、この時期が春秋または冬である場合は、必要に応じて外衣２の内側に内衣１を重ね着する。
なお、内衣１のボタンライン１４が、外衣２のボタンライン２３、２４と重ならない位置に設けられているので、内衣１を外衣２の内側に重ね着したときにも、生地やボタン同士が厚く重なって胸が圧迫されるようなことがなく、乳児の呼吸を苦しくさせてしまうことはない。
【００３５】
（２）生後２ヶ月〜５、６ヶ月頃までの時期
上記（１）と同様に外衣２の足側の裾部分を一本の筒状に形成し、「ドレス」と同様に使用するか、または裾部分を図２に示すように二本の分離筒状に形成し、乳児の両脚をそれぞれ通して、「カバーオール」と同様に使用する。
この時期において夏が含まれる場合は、外衣２に袖がなく涼しいので、外衣２をそのままで使用する。また、外衣２を使用せず、代わりに下肢が露出する内衣１だけを「ラップアップ」や「ボディオール」と同様に使用することもできる。
また、この時期に春秋または冬が含まれる場合は、必要に応じて外衣２の内側に内衣１を重ね着する。
【００３６】
（３）生後５、６ヶ月以降の時期
外衣２には袖が設けられていないので、図２に示すように裾部分を二本の分離筒状に形成し、乳児の両脚をそれぞれ通して「ロンパース」と同様に使用する。この時期には、内衣１は使用してもよいし、使用しなくてもよい。
この時期において夏が含まれる場合は、外衣２に袖がなく涼しいので、外衣２をそのままで使用する。また、この時期において春秋や冬が含まれる場合は、「ロンパース」と同様にカーディガンやＴシャツ、ベストなど他の衣服と組み合わせてコーディネートしながら使用する。
【００３７】
このように、乳児用組み衣服Ａは、組み衣服を構成する外衣２と内衣１のいずれかを選択するか、またはそれらを組み合わせることにより、夏の暑い時期も含め、四季を通じて使用することができる。
従って、赤ちゃんの生まれた時期が一年のうちのどの季節であっても、新生児の時期から、例えば生後５、６ヶ月の頃まで、場合によっては生後７ヶ月目以降も、一定期間無駄なく使用できる。
また、外衣２がロンパースと同様に使用可能であるので、新たにロンパースなどを買い揃える必要がなく、経済的であり無駄がない。
【００３８】
図６は外衣の他の実施の形態を示す斜視図である。
本実施の形態に係る外衣２ａは、裾部の形態のみ上記外衣２と相違し、他の部分については同じ形態を有している。
外衣２ａの裾部は、外衣２の裾部よりやや長く（本実施の形態では約３０ｍｍであるが、適宜設定可能である）形成されている。外衣２ａの絞り部２００の位置は、外衣２と同様の位置（上端部からの長さまたは距離が同じ）に設けられており、絞り部２００より先端側の長くなった部分には、延長部を構成するフリル２０１が形成されている。これにより、着丈はやや長くなっており、本実施の形態では、約５６０ｍｍであるが、この寸法に限定はされない。
【００３９】
（作用）
外衣２ａは、例えば生後５〜６ヶ月頃までカバーオールのように使用するときには、フリル２０１が設けてあることで、デザイン的な可愛らしさを演出できる。また、例えば生後５〜６ヶ月頃からロンパースのように使用するときには、絞り部２００に設けてある切り口（図示省略）からハサミなどでゴムを切り、フリルをなくして裾をストレートにし、乳児の脚部の長さに合わせて裾の長さを長くすることができる。
【００４０】
これにより、乳児が成長して特に脚部が伸びたときにも十分に対応でき、外衣をロンパースのように使用するときに、着用可能な期間を長くする上で有用であり、使用期間をより長くすれば、更に経済的に使用することができる。また、見映えがするのでデザイン上も好ましく、商品としての付加価値も上がる利点がある。
【００４１】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００４２】
【図１】本発明に係る乳児用組み衣服の一実施の形態を示す斜視図。
【図２】乳児用組み衣服を構成する外衣をカバーオール様とした状態の斜視説明図。
【図３】乳児用組み衣服を構成する外衣をドレス様とした状態の斜視説明図。
【図４】乳児用組み衣服を構成する内衣の斜視説明図。
【図５】図１におけるＡ−Ａ拡大断面説明図。
【図６】外衣の他の実施の形態を示す斜視図。
【符号の説明】
【００４３】
Ａ  乳児用組み衣服
１  内衣
１０  後身頃
１１  股部カバー
１２、１３  前身頃
１４  ボタンライン
１５  ボタンの一方
１６  ボタンの他方
１７  脚口
１８  首口部
１９  袖部
２  外衣
２０  後身頃
２００  絞り部
２１  右前身頃
２２  左前身頃
２３  ボタンライン
２４  ボタンライン
２５  ボタンの一方
２６  ボタンの他方
２７  肩掛け部
２８  肩口部
２９  首口部
２ａ  外衣
２０１  フリル
【図１】
2005226191.tif 000003
【図２】
2005226191.tif 000004
【図３】
2005226191.tif 000005
【図４】
2005226191.tif 000006
【図５】
2005226191.tif 000007
【図６】
2005226191.tif 000008